(57)【要約】【課題】保健指導時に使用する各種疾病発症率を予測する発症リスクシミュレーションシステムにおいて、改善値を設定する際に、対象者に効果的に改善値の設定を理解させる設定指標表示方法を提供する。【解決手段】疾病発症の発症リスク計算の対象となる測定項目の測定値範囲を示す図形と、測定値に対応する発症リスクへの関与率を示すエリアと、発症リスクへの関与率の値を表示する数値表示エリアと、測定範囲上で実際に測定された健診値の位置を示す表示と、測定値の測定範囲上で改善値の位置を示す表示と、各ポイント間の健診測定値の閾値表示エリアを持つ改善設定指標表示情報を示す改善設定指標表示手段により、発症リスクの改善を効果的に説明する。【選択図】図３
2010198411.tif 000002
【特許請求の範囲】
【請求項１】
ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムにおいて、
前記改善値設定手段は、改善前の健診値と、改善値と、各健診値及び改善値に対応する発症リスクを前記出力装置に表示する改善値設定指標表示手段を有することを特徴とする疾病発症リスクシミュレーションシステムの改善指標表示装置。
【請求項２】
請求項１に記載された病発症リスクシミュレーションシステムの改善指標表示装置において、前記改善値設定指標表示手段は、対象の健診項目の測定値範囲を示す測定値範囲エリアと、測定値の発症リスクへの関与率を示す複数の関与率エリアと、各関与率エリア境界に示された閾値と、前記測定値範囲エリアに設けられ測定された健診値を示す健診値表示と、改善値として新たに設定された改善値表示を前記出力装置に出力することを特徴とする疾病発症リスクシミュレーションシステムの改善指標表示装置。
【請求項３】
請求項１または２に記載された疾病発症リスクシミュレーションシステムの改善指標表示装置において、前記改善値設定指標表示手段は、複数の健診項目の各々について改善前の健診値と、改善値と、各健診値及び改善値に対応する発症リスクを前記出力装置に表示することを特徴とする疾病発症リスクシミュレーションシステムの改善指標表示装置。
【請求項４】
請求項１乃至３のいずれか１項に記載された疾病発症リスクシミュレーションシステムの改善指標表示装置において、、前記改善値設定指標表示手段は、各健診項目を含む特定疾患全体の発症リスクを表示することを特徴とする疾病発症リスクシミュレーションシステムの改善指標表示装置。
【請求項５】
ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムにおいて、
対象者の健診・問診結果を前記健診・問診結果管理手段により取得するステップと、
改善前の健診値リスクを健診・問診結果より前記リスク算出手段により算出するステップと、
健診値を表示エリアに表示するステップと、
健診値を設定改善設定指標表示エリアに表示するステップと、
算出されたリスク値を改善前のリスクグラフとして表示するステップと、
改善後の健診・問診の改善値を入力するステップと、
改善値を設定エリアに表示するステップと、
改善値を改善設定指標表示エリアに表示するステップと、
改善値のリスクを改善値の健診結果・問診結果からリスク算出手段により取得するステップと、
算出されたリスク値を改善値のリスクグラフとして表示するステップ
とからなる疾病発症リスクシミュレーションシステムの改善指標表示方法。
【請求項６】
ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムにおいて、
使用する健診・問診項目の種別数分だけループ処理するステップと、
健診・問診項目種別の測定範囲の上限及び下限値を取得するステップと、
健診・問診結果のリスクへの関与率を前記健診値リスク情報管理手段により取得するステップと、
関与率毎の境界を計算または境界値管理テーブルにより取得するステップと、
リスクへの関与率の境界線Ｕｉ，Ｄｉを描画し対応する健診値と関与率Ｐｎを表示するステップと、
改善設定指標表示エリアに改善前の健診値を示す健診値表示を描画するステップと、
改善値が設定されていない場合は次のループへ移行し改善値が設定されている場合は次ステップへ進むステップと、
改善値を示す改善値表示を改善設定指標表示エリアへ表示するステップ
とからなる疾病発症リスクシミュレーションシステムの改善指標表示方法。
【発明の詳細な説明】
【技術分野】
【０００１】
本発明は、疾病発症リスクシミュレーションシステムにおいて、保健指導者が保健指導対象者に対して保健指導を行う際、生活習慣改善方法を効果的に説明するために、各種生活習慣病等の疾病発症リスクシミュレーションシステムによる、改善前と改善後のリスク及び適切な改善値の設定を表示する改善指標表示装置および改善指標表示方法に関する。
【背景技術】
【０００２】
従来、生活習慣病予防のために健診を行い、健診結果に基づいて保健指導対象者に対して保健指導を行うことで生活習慣病予備群の生活習慣病の発生を予防することが広く行われている。生活習慣病の予防で重要なことは、本人の自覚により生活習慣を改善する意識を持って生活習慣の改善を継続的に行わせることである。本人に生活習慣の改善の必要性を認識させるために有効な方法として、健診測定値から現状の生活習慣を維持した場合に起こりうる疾病発症リスクと、健診測定値を改善した場合の疾病発症リスクを提示し、生活習慣の改善により疾病発症の発症リスクが改善することを明示することが挙げられる（特許文献１参照）。
【先行技術文献】
【特許文献】
【０００３】
【特許文献１】特開２００５−０５２１６４号公報
【発明の概要】
【発明が解決しようとする課題】
【０００４】
上記の疾病発症リスクシミュレーションシステムによる疾病発症リスクの計算については、一般的にフラミンガムスタディ等の統計的な健診結果調査の測定値から発症リスクを求める方法が知られており、これらの測定値を使用して健診結果の測定値を元に発症リスクを求めることが可能である。これにより保健指導では、実際に計測した対象者の健診測定値による疾病発症リスクと生活習慣改善により想定される測定値の疾病発症リスクを計算して、改善後の疾病発症リスクが低減することを対象者に提示することにより、一般的に「動機付け」と呼ばれる効果的な生活習慣の改善に有効な意識付けが行われる。
【０００５】
しかし、これら従来の発症リスク計算では、健診項目毎に発症リスクへの寄与の仕方が異なっていたり、測定値から発症リスクに影響するポイントを求めその合計から最終的な発症リスクを求める二段階算出方法を用いていたため、改善値をどのように設定すれば発症リスクが低減するかについて、対象者にわかりやすい提示を行うシミュレーションシステムがなかった。
【課題を解決するための手段】
【０００６】
上記課題を解決するため、本発明では、ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムの改善指標表示装置において、前記改善値設定手段は、改善前の健診値と、改善値と、各健診値及び改善値に対応する発症リスクを前記出力装置に表示する改善値設定指標表示手段を有することを特徴とする。
【０００７】
また、前記改善値設定指標表示手段は、対象の健診項目の測定値範囲を示す測定値範囲エリアと、測定値の発症リスクへの関与率を示す複数の関与率エリアと、各関与率エリア境界に示された閾値と、前記測定値範囲エリアに設けられ測定された健診値を示す健診値表示と、改善値として新たに設定された改善値表示を前記出力装置に出力することを特徴とする。
【０００８】
また、前記改善値設定指標表示手段は、複数の健診項目の各々について改善前の健診値と、改善値と、各健診値及び改善値に対応する発症リスクを前記出力装置に表示することを特徴とする。
【０００９】
また、前記改善値設定指標表示手段は、各健診項目を含む特定疾患全体の発症リスクを表示することを特徴とする。
【００１０】
さらに、ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムの改善指標表示方法において、
対象者の健診・問診結果を前記健診・問診結果管理手段により取得するステップと、改善前の健診値リスクを健診・問診結果より前記リスク算出手段により算出するステップと、健診値を表示エリアに表示するステップと、健診値を設定改善設定指標表示エリアに表示するステップと、算出されたリスク値を改善前のリスクグラフとして表示するステップと、改善後の健診・問診の改善値を入力するステップと、改善値を設定エリアに表示するステップと、改善値を改善設定指標表示エリアに表示するステップと、改善値のリスクを改善値の健診結果・問診結果からリスク算出手段により取得するステップと、算出されたリスク値を改善値のリスクグラフとして表示するステップとからなる事を特徴とする。
【００１１】
さらに、ＣＰＵ装置と、入力装置と、出力装置と、記憶装置と、データベースを有し、前記記憶装置には健診・問診情報取得手段と、改善値設定手段と、発症リスク算出手段を有する疾病発症リスクシミュレーションプログラムを有し、前記データベースには複数の健診項目に関する健診・問診結果管理手段と健診値リスク情報管理手段を有する疾病発症リスクシミュレーションシステムの改善指標表示方法において、
使用する健診・問診項目の種別数分だけループ処理するステップと、健診・問診項目種別の測定範囲の上限及び下限値を取得するステップと、健診・問診結果のリスクへの関与率を前記健診値リスク情報管理手段により取得するステップと、関与率毎の境界を計算または境界値管理テーブルにより取得するステップと、リスクへの関与率の境界線Ｕｉ，Ｄｉを描画し対応する健診値と関与率Ｐｎを表示するステップと、改善設定指標表示エリアに改善前の健診値を示す健診値表示を描画するステップと、改善値が設定されていない場合は次のループへ移行し改善値が設定されている場合は次ステップへ進むステップと、改善値を示す改善値表示を改善設定指標表示エリアへ表示するステップとからなることを特徴とする。
【発明の効果】
【００１２】
本発明の生活習慣病等の疾病発症リスクシミュレーションシステムは、各健診項目に対する改善指標表示内容を工夫して、疾病発症リスクに関与する測定値をどれだけ改善できるか、及び測定値を改善したときの効果をわかりやすく表示することにより、保健指導者が指導対象者に生活習慣の改善を動機付けるために効果的な分かりやすい発症リスクシミュレーションの設定を行うことができる。従って改善すべき内容の具体的指導により多くの時間を割くことができる。
【図面の簡単な説明】
【００１３】
【図１】本発明実施例の疾病リスクシミュレーションシステムのブロック図。
【図２】本発明実施例の改善指標表示方法を示す模式図。
【図３】本発明実施例の出力装置における改善指標表示画面を示す説明図。
【図４】本発明実施例のシミュレーション方法を示すフローチャート。
【図５】図３の改善指標表示画面の表示方法を示すフローチャート。
【発明を実施するための形態】
【００１４】
以下、本発明の実施例について図を用いて詳細に説明する。
【実施例】
【００１５】
本発明の生活習慣病等の疾病発症リスクシミュレーションシステムは、発症リスク計算上のパラメータとなる各健診項目測定値の発症リスクへの関与率を特定の評価関数または評価表により求めることが可能である。また、それぞれの健診項目測定値の発症リスクへの関与率の合計から、発症リスクの発症率を評価関数または評価表で求めることが可能な疾病発症リスク計算方法を使用する。
【００１６】
図１は、本発明実施例の改善値指標表示手段を用いた生活習慣病に関する発症リスクシミュレーションシステムを示すブロック図である。本システムは生活習慣病に関する発症リスクシミュレーション装置１００とデータベース１０５で構成する。発症リスクシミュレーション装置１００は、１つあるいは複数のコンピュータ装置からなり、発症リスクシミュレーション装置１００にはコンピュータプログラムを実行するＣＰＵ１０１、ハードディスクやメモリからなる記憶装置１０４、キーボードやマウスなどの入力装置１０２、ディスプレイやプリンタなどの出力装置１０３を有している。記憶装置１０４には、以下に説明する各手段を有するシミュレーションプログラムが格納されており、これらは必要に応じてＣＰＵ１０１に読み出されて実行される。
【００１７】
記憶装置１０４にはデータベース１０５から任意の保健指導対象者の改善前のシミュレーションに使用する健診結果や問診結果を取得する健診・問診結果取得手段１０６と、改善前の健診値を表示し改善値を設定して発症リスクを計算し表示する改善値設定手段１０７と、健診値と改善値の発症リスクを算出する発症リスク算出手段１０９を格納している。改善値設定手段１０７はさらに、出力装置１０３に具体的な改善値と対応する発症リスクを表示させる改善値設定指標表示手段１０８を有する。
【００１８】
データベース１０５は、健診・問診結果取得手段１０６に供給する健診・問診情報を管理する健診・問診結果管理手段１１０と、各健診値に対する発症リスクへの関与率等の発症リスク率計算に必要な発症リスク情報を管理する健診値リスク情報管理手段１１１を有している。発症リスク算出手段１０９および健診値リスク情報管理手段１１１はシミュレーションする疾病の発症リスク毎に固有の情報を持ち、個別に入れ替えることができるものとする。
【００１９】
本実施例の発症リスクシミュレーションシステムでは、発症リスク計算上のパラメータとなる測定値の測定範囲を示す図形上に各測定値ごとに発症リスク計算における発症リスク関与率を改善の指標としてグラフや数字にて表示し、改善前の健診値と改善値を示す図形を表示する。関与率は所定の数式計算に基づく数値データとして与えられる。関与率はまた、計算された数値データを発症リスクに与える影響度に応じて任意の重み付けを行って得られるポイントとして与えることができる。
【００２０】
図２は、本実施例の疾病発症リスク計算上のパラメータとなる、任意の健診測定値に対する改善指標表示方法の原理を示す模式図である。図２の表示内容は改善値設定指標表示手段１０８で作成され、発症リスクシミュレーション装置２００の出力装置２０３のディスプレイ画面上に表示される。対象の測定値の範囲を示す測定値範囲エリア２０１、測定値の発症リスクへの関与率を示す複数の関与率エリア２０２、関与率エリア２０２内に設けられた発症リスクへの関与率の値を表示する複数の数字エリア２０３、測定値範囲エリア２０１上で実際に測定された健診値を示す健診値表示２０４、改善値として新たに設定された値を示す改善値表示２０５、および関与率エリア２０２の各エリア間の健診測定値の閾値を数字で表示する閾値表示２０６からなる。
【００２１】
測定値範囲エリア２０１は各測定項目の測定値範囲を示し、高さｈを持つ長方形で示される。測定値範囲エリア２０１はエリア内を例えばカラーグラデーションを使用して増減方向を示す。この例では上方向を測定値が高いものとして濃色とし下側を薄色として示している。測定値の増減方向は、測定値に対する発症リスクへの関与率が高くなる方向を例えば上側として、発症リスク計算の対象となるすべての測定項目に対して同じ方向にする。
【００２２】
エリア２０２は測定値範囲エリア２０１の発症リスクへの関与率の区分を測定値の範囲にあわせ複数のエリアに分けて表示するものである。関与率エリア２０２は発症リスクへの関与率の高さにより、エリア毎に色を変えて塗りつぶす。各関与率エリア２０２の発症リスクへの関与率を数字２０３で表示する。
【００２３】
健診値表示２０４は測定値範囲エリア２０１に示される健診測定値に関して、改善前の現在の測定値の位置を表示するものである。同様に改善値表示２０５は健診測定値に関して、設定された改善後の測定値の位置を表示するものである。健診値表示２０４と改善値表示２０５は測定値範囲エリア２０１内に表示され重複する可能性があるため、区別するために図形の形状または色を変えて表示し、健診値表示２０４と改善値表示２０５が重なったときは改善値表示２０５を優先的に表示する。測定値に対する発症リスクへの関与率の境界位置を明示するために、閾値表示２０６で境界の測定値を数値で表示する。
【００２４】
図２の各図形に対する表示位置およびサイズの関係を次に示す。測定値範囲エリア２０１の高さｈは任意の大きさであり、出力装置２０３上で取りえる最適なサイズを取る。各測定値は測定値範囲エリア２０１で表す測定値の範囲を定義する。ここで測定値範囲エリア２０１に表示するときの測定値の上限値をＹｍａｘ，下限値をＹｍｉｎとする。測定値範囲エリア２０１の測定値に対して疾病の発症リスクへの関与率の範囲を示す関与率エリア２０２を表示する。任意の測定項目の測定値の疾病発生リスクへの関与率がｎ個に分類される場合、関与率エリア２０２はｎ個で構成される。
【００２５】
ｉ番目の関与率エリア２０２の表示位置は、測定値範囲エリア２０１の下辺を原点として、ｉ番目の関与率エリア２０２の下辺位置をｉ番目の疾病発症リスクへの関与率における測定値の最小値
Ｖｉｍｉｎを示す位置Ｄｉとし、ｉ番目の関与率エリア２０２の上辺位置をｉ番目の疾病発症リスクへの関与率における測定値の最大値Ｖｉｍａｘを示す位置Ｕｉとして定義できる。すなわち、
Ｄｉ  ＝（Ｖｉｍｉｎ−Ｙｍｉｎ）／（Ｙｍａｘ−Ｙｍｉｎ）×ｈ・・・（１）
Ｕｉ  ＝（Ｖｉｍａｘ−Ｙｍｉｎ）／（Ｙｍａｘ−Ｙｍｉｎ）×ｈ・・・（２）
ちなみにｉ番目の関与率エリア２０２の下辺位置Ｄｉとｉ−１番目の上辺位置Ｕｉ−１は同じとなる。
【００２６】
数字２０３は発症リスクへの関与率毎にそれぞれのエリアの中央にそのエリア内の計測値に対する発症リスクへの関与率を表示する。健診値表示２０４は改善前の健診値Ｙｎｏｗの位置を示し、その中心は測定範囲を示す測定値範囲エリア２０１の下辺から高さｈｎｏｗで表示する。
ｈｎｏｗ  ＝（Ｙｎｏｗ−Ｙｍｉｎ）／（Ｙｍａｘ−Ｙｍｉｎ）×ｈ・・・（３）
改善値表示２０５は改善後の改善値Ｙｂｅｔｔｅｒの位置を示し、その中心は測定範囲を示す測定値範囲エリア２０１の下限Ｙｍｉｎからの高さｈｂｅｔｔｅｒで指定される。
ｈｂｅｔｔｅｒ＝（Ｙｂｅｔｔｅｒ−Ｙｍｉｎ）／（Ｙｍａｘ−Ｙｍｉｎ）×ｈ・・（４）
閾値表示２０６はそれぞれの発症リスクへの関与率の境界における測定値Ｂｉを表示する。Ｉ番目のＢｉの位置は測定値範囲エリア２０１の下限Ｙｍｉｎからの関与率エリア２０２の上辺の位置Ｕｉとなる。
【００２７】
次に、図３によって、本発明実施例の冠動脈疾患を例にとった発症リスクシミュレーションシステムの改善指標表示方法を説明する。図３は図１の出力装置１０３に出力される改善指標表示画面を示す説明図である。
【００２８】
冠動脈疾患の発症リスクシミュレーションシステムとしては、従来フラミンガムスタディの調査データに基づく１０年間での冠動脈疾患の発症予測シミュレーションシステムが広く知られている。冠動脈疾患の発症予測では予測に使用する健診項目パラメータとして年齢、血圧（収縮期血圧、拡張期血圧）、ＬＤＬコレステロール値または総コレステロール値、糖尿病の有無、喫煙習慣の有無を使用する。
【００２９】
年齢は対象者により固定されているため設定の対象とはしない。本発症リスクシミュレーションシステムでは改善前の健診値を表示する表示エリア３０１と改善値を設定する設定エリア３０２を持つ。また、各健診項目に対して改善前の健診値をどれだけ改善できるか、どこまで改善すればよいかを示す改善設定指標表示エリア３０３を持ち、保健指導者はこれを参照しながら設定エリア３０２の設定を行う。改善設定指標表示エリア３０３において、関与値はポイントで表示されており、エリア上部ほどリスクが高く大きなポイントが与えられている。
【００３０】
各値の状態を確認しながら、設定エリア３０２ですべての改善値を設定した後に計算ボタン３０４で発症リスクシミュレーションプログラムにより改善後の発症リスクの計算を実行させる。この計算結果により、リスクグラフ３０５にしめす改善前の健診値の発症リスク値２７％に対する、リスクグラフ３０６に示す改善値の発症リスク値９％が棒グラフとして表示される。
【００３１】
設定エリア３０２に改善値を入力した段階で、これに連動して改善設定指標表示エリア３０３の改善値の表示位置を変更する。初期段階では改善値の設定エリア３０２には健診値を表示するか、又はなにも表示しないものとする。
【００３２】
この例ではＬＤＬ−Ｃ（ＬＤＬコレステロール）は健診値は２２０であり、疾病発症リスクに対するポイントが２であることがわかる。また、ＬＤＬ−Ｃの健診値の位置によりまだ改善値を設定する余地があることがわかる。また、この改善値を１７０まで下げた場合に疾病の発症リスクが１となり、リスクを下げる効果が得られることがわかる。
【００３３】
次に、ＨＤＬ−Ｃ（ＬＤＬコレステロール）については、測定値範囲エリア（図１の測定値範囲エリア１０１）のグラデーションが下側が濃く上側が薄くなっていることから、測定値範囲エリア上にある表示図形が上にあるほど健診値が小さいため、改善後の値は改善前の値より大きな値を設定することが必要であることがわかる。
【００３４】
次に、本発明実施例の発症リスクシミュレーションシステムの動作を説明する。図４は発症リスクシミュレーションシステムによる改善指標表示動作ステップを示すフローチャートである。
【００３５】
改善値設定指標表示手段１０３により、まずステップ４０１で対象者の健診・問診結果を図１の健診・問診結果管理手段１１０により取得する。次にステップ４０２で改善前の健診値リスクを健診・問診結果よりリスク算出手段１０９により算出する。ステップ４０３で改善前の健診値を図３の表示エリア３０１に表示し、ステップ４０４で改善設定指標表示エリア３０３に健診値表示２０４をおこなう（詳細は図５に示す）。
【００３６】
ステップ４０５でステップ４０２により算出された健診値のリスク値を改善前のリスクグラフ３０５として表示する。ステップ４０６で手入力で改善後の健診・問診の改善値を入力する。ステップ４０７で、改善設定指標表示エリア３０３に設定された改善値に対応した改善値表示２０５を表示する。
【００３７】
ステップ４０８で操作者により上記設定が妥当か判断し、設定が妥当でないと判断した場合はステップ４０６に戻って改善値を再設定する。妥当と判断した場合は３０４の「計算」ボタンによりステップ４０９へ移る。ステップ４０９で改善値のリスクを改善値の健診結果・問診結果からリスク算出手段１１０により取得する。ステップ４１０でステップ４０９により算出されたリスク値を改善後のリスクグラフ３０６として表示する。
【００３８】
次に、図３に示す改善指標表示画面を作成するソフトウェアプログラムである改善値設定指標表示手段１０８の動作ステップを図５のフローチャートに示す。始めに、ステップ５０１で発症リスクシミュレーションシステムで使用する健診・問診項目の種別数分だけループ処理する。ステップ５０２で健診・問診項目種別の測定範囲の上限及び下限値を取得する。ステップ５０３で健診・問診結果のリスクへの関与率を健診値リスク情報管理手段１１１により取得する。ステップ５０４で関与率毎の境界を計算または境界値管理テーブルより取得する。ステップ５０５でリスクへの関与率の境界線Ｕｉ，Ｄｉを描画し、対応する健診値と関与率Ｐｎの値を表示する。ステップ５０６で改善設定指標表示エリア３０３に改善前の健診値を示す健診値表示２０４を描画する。ステップ５０７で改善値が設定されていない場合は次のループへ移行し、改善値が設定されている場合はステップ５０８へ進む。ステップ５０８で改善値を示す改善値表示１０５を改善設定指標表示エリア３０３へ表示する。
【符号の説明】
【００３９】
１００：発症リスクシミュレーション装置、１０１：ＣＰＵ装置、１０２：入力装置、１０３：出力装置、１０４：記憶装置、１０５：データベース、１０６：健診・問診情報取得手段、１０７：改善値設定手段、１０８：改善値設定指標表示手段、１０９：発症リスク算出手段、１１０：健診・問診結果管理手段、１１１：健診値リスク情報管理手段、１２０１：測定値範囲エリア、２０２：関与率エリア、２０３：数字表示エリア、２０４：健診値表示、２０５：改善値表示、２０６：閾値表示、
３０１：表示エリア、３０２：設定エリア、３０３：改善設定指標表示エリア、３０５：リスクグラフ、３０６：リスクグラフ
【図１】
2010198411.tif 000003
【図２】
2010198411.tif 000004
【図３】
2010198411.tif 000005
【図４】
2010198411.tif 000006
【図５】
2010198411.tif 000007